(57)【要約】枠と、該枠により支持され、駆動要素を含むモータと、該駆動要素により駆動され、該枠により支持される、コンクリート切断刃と、コンクリートの表面上で該枠を支持するための、該枠と連結された複数の車輪と、該枠に支持され、該枠の後部の後方に延在するように構成されたハンドルと、一定の長さで該ハンドルを解除可能な状態で保持するための、該枠により支持される第１の解除可能な固定要素と、該枠に対して一定の角度で該ハンドルを解除可能な状態で保持するための、該枠により支持される第２の解除可能な固定要素とを備え、該第２の解除可能な固定要素は、該第１の解除可能な固定要素とは分離している、コンクリート用鋸。鋸のハンドル支持部および調整用アセンブリは、鋸に対するハンドルの長さおよび／または角度の調整を可能にする。
2008505783.tif 000002
【特許請求の範囲】
【請求項１】
枠と、
該枠により支持され、駆動要素を含むモータと、
該駆動要素により駆動され、該枠により支持される、コンクリート切断刃と、
コンクリートの表面上で該枠を支持するための、該枠と連結された複数の車輪と、
該枠に支持され、該枠の後部の後方に延在するように構成されたハンドルと、
一定の長さで該ハンドルを解除可能な状態で保持するための、該枠により支持される第１の解除可能な固定要素と、
該枠に対して一定の角度で該ハンドルを解除可能な状態で保持するための、該枠により支持される第２の解除可能な固定要素と
を備え、該第２の解除可能な固定要素は、該第１の解除可能な固定要素とは分離している、コンクリート用鋸。
【請求項２】
前記ハンドルは、ハンドルの方向に延在し、前記第１および第２の解除可能な固定要素は、該ハンドルの方向と略平行な方向に、互いに間隔をおいて位置する、請求項１に記載の鋸。
【請求項３】
前記ハンドルを支持するハンドル支持部をさらに含み、前記第１および第２の解除可能な固定要素は、該ハンドル支持部に取り付けられている、請求項１に記載の鋸。
【請求項４】
前記ハンドルを支持するハンドル支持部をさらに含み、前記第２の解除可能な固定要素は、前記ハンドル支持部に取り付けられており、該ハンドル支持部は、枠部分に対して該ハンドル支持部が枢動するように、該ハンドル支持部から該枠部分に延在する枢動要素をさらに含む、請求項１に記載の鋸。
【請求項５】
前記ハンドル支持部は、前記ハンドルの端部を受けるための実質的にチューブ状の部分を含む、請求項４に記載の鋸。
【請求項６】
鋸刃を支持するため、および鋸刃を駆動するための駆動要素を支持するための枠と、
該枠を表面上で支持するため、および該枠が表面に沿って動くことを可能にするための、該枠と連結された少なくとも１つの車輪と、
第１の端部および第２の端部を有し、該枠に対して、該第１の端部で動かすことによって、該枠の一部が表面から持ち上がることが可能になるように位置するハンドルと、
該枠により支持され、該ハンドルを支持するハンドル支持部であって、該枠に対して枢動可能となるように構成された第１の部分と、該第１の部分から間隔をおいて該ハンドルの該第２の端部の方向に位置した第２の部分であって、該枠に対する角運動に対して解除可能なように固定されるように構成された第２の部分とを含む、ハンドル支持部と
を備える、コンクリート切断用鋸。
【請求項７】
前記ハンドル支持部は、直線的に延在し、枢動のための前記第１の部分は、前記枠によって支持されたピンを含み、これにより、該ピン周囲での該ハンドル支持部の枢動が可能にされる、請求項６に記載の鋸。
【請求項８】
前記枠に対して解除可能なように固定された前記第２の部分は、該枠に対して動くことができる第２のピンを含む、請求項７に記載の鋸。
【請求項９】
前記第２のピンに連結された解除可能な締め具をさらに含む、請求項８に記載の鋸。
【請求項１０】
前記鋸は、前記枠により支持された表面を含み、前記解除可能な締め具は、該表面に対して固定する、請求項９に記載の鋸。
【請求項１１】
前記ハンドル支持部は、前記ハンドルの一部を囲むハンドルカバーを含む、請求項６に記載の鋸。
【請求項１２】
前記ハンドルカバーはチューブを含む、請求項１１に記載の鋸。
【請求項１３】
前記枠により支持された側壁をさらに含み、前記ハンドル支持部は、該側壁に沿って延在している、請求項６に記載の鋸。
【請求項１４】
前記ハンドル支持部は、前記側壁の一部を介して延在する枢動ピンを含み、該側壁の一部を介して延在する固定ピンをも含む、請求項１３に記載の鋸。
【請求項１５】
前記側壁は前記枢動ピンを支持し、該側壁は弓形の開口部を画定する壁を含み、前記固定ピンは該弓形の開口部内に延在する、請求項１４に記載の鋸。
【請求項１６】
前記固定ピンに連結された固定要素をさらに含み、該固定要素は、固定状態となった場合に、前記側壁を押圧する、請求項１５に記載の鋸。
【請求項１７】
前記固定ピンに連結された固定要素をさらに含み、該固定要素は、前記弓形の開口部内の実質的にどんな位置であっても前記側壁に対して前記固定ピンを固定することができるように構成される、請求項１５に記載の鋸。
【請求項１８】
前記側壁は、後側壁部および前側壁部を含み、前記枢動ピンは、該後側壁部を介して延在し、前記固定ピンは、該前側壁部を介して延在する、請求項１４に記載の鋸。
【請求項１９】
前記ハンドル支持部は、前記側壁に沿って実質的に真っ直ぐに延在する、請求項１８に記載の鋸。
【請求項２０】
前記ハンドル支持部は、チューブ状の要素と支持構造とを含み、該支持構造は、該チューブ状の要素を支持し、前記枢動ピンおよび前記固定ピンをも支持する、請求項１９に記載の鋸。
【請求項２１】
枢動のために構成された前記第１の部分は、前記ハンドルの一部と交差する方向に延在する軸の周囲で枢動する、請求項６に記載の鋸。
【請求項２２】
前記ハンドル支持部の前記第２の部分は、前記ハンドルが前記第２の部分の近くに延在した場合に、該ハンドルの一部と交差する軸を有する方向に延在する、請求項６に記載の鋸。
【請求項２３】
前記ハンドル支持部は、実質的に長手方向に延在し、角運動に対して解除可能なように固定するように構成された前記第２の部分は、前記長手方向に対して実質的に垂直に延在する、請求項６に記載の鋸。
【請求項２４】
前記第２の部分は、前記ハンドル支持部に対して実質的に垂直に延在する、請求項２３に記載の鋸。
【請求項２５】
前記第２の部分は、前記ハンドル支持部の中心軸に実質的に交差する軸に沿って延在する、請求項２４に記載の鋸。
【請求項２６】
前記ハンドルは、ハンドルグリップ部分を含み、枢動のために構成された前記ハンドル支持部の第１の部分は、実質的に前記ハンドルグリップ部分と該ハンドル支持部の第２の部分との間に位置する、請求項６に記載の鋸。
【請求項２７】
前記ハンドルは、ハンドルグリップ部分を含み、前記ハンドルの第２の端部は、前記ハンドルグリップ部分の実質的に反対にある、請求項６に記載の鋸。
【請求項２８】
駆動要素を支持する枠と、
該枠により支持され、該駆動要素により駆動されるコンクリート切断刃と、
コンクリートの表面上で該枠を支持するための、該枠と連結された複数の車輪と、
該枠に対して枢動可能となるように該枠によって支持されたハンドルであって、該ハンドルは、該枠に対して該ハンドルを固定するための解除可能な保持要素を含み、第１の位置から第２の位置への角度を介して該ハンドルの高さを調整できるように構成され、該ハンドルは、該第１の位置および該第２の位置の間の中間位置に該ハンドルを調整できるようにも構成され、該中間位置は、互いの間隔が不均一である少なくとも３つの近隣位置を含む、ハンドルと
を備える、コンクリート用鋸。
【請求項２９】
前記枠により支持されたハンドル支持部をさらに含み、前記ハンドル支持部は、該枠に対して前記ハンドルを支持し、該ハンドル支持部は、枢動要素を含み、該枢動要素は、該ハンドルを該枢動要素に対して枢動することを可能にし、前記ハンドルは、該枢動要素の片側にグリップ部分を含み、該枢動要素の該グリップ部分とは反対側に端部を含む、請求項２８に記載の鋸。
【請求項３０】
前記ハンドル支持部は、前記枠の第１の部分へと延在する枢動ピンを含み、前記解除可能な保持要素は、該枠の前記第１の部分から離れ、該枠の該第１の部分よりも前部にある該枠の第２の部分へと延在する要素を含む、請求項２９に記載の鋸。
【請求項３１】
前記ハンドル支持部は、前記ハンドル支持本体を有し、前記枢動ピンおよび前記枠の第２の部分へと延在する要素は、該ハンドル支持本体と実質的に垂直である、請求項３０に記載の鋸。
【請求項３２】
前記解除可能な保持要素は、クイックリリースハンドルを含む、請求項２８の鋸。
【請求項３３】
前記ハンドルと前記枠の間にハンドル支持部をさらに含み、該ハンドル支持部は、該ハンドル支持部に対して実質的に垂直に延在する枢動ピンと、該ハンドル支持部に対して実質的に垂直に延在する固定ピンとを含む、請求項２８に記載の鋸。
【請求項３４】
前記枠は、弓形の開口部を画定する壁を含み、前記固定ピンは、該弓形の開口部へと延在する、請求項３３に記載の鋸。
【請求項３５】
前記枢動ピンおよび前記固定ピンは、前記ハンドルに対して実質的に平行な共通線上にある、請求項３３に記載の鋸。
【発明の詳細な説明】
【技術分野】
【０００１】
（技術分野）
本開示は、手動で操作できる器具、例えば、ハンドルや鋸の他の部分にある手動要素を用い、表面に対して持ち上げるまたは上昇させることのできるコンクリート用鋸に関する。これらはコンクリート平板を切断したり溝を彫ったりするための産業用コンクリート用鋸を含む。
【背景技術】
【０００２】
（従来技術）
コンクリート業界では、コンクリート大型平板はその強度と耐久性から道床、建築物の床、およびその他の構造に使われている。伸縮継手を形成したり、平板の硬化時の圧力による亀裂を制御したり、あるいはその他の構造を受けるための経路や開口部を形成するために、コンクリートの継ぎ目、溝およびその他の切断が平板に施される場合がある。コンクリート用鋸は継ぎ目、溝もしくは他の開口部を切るために使われ、このようなコンクリート用鋸は非常に重く、コンクリート平板上で動かすことが難しい場合が多い。
【０００３】
大規模もしくは重量建設に適用する場合、重い自動駆動式鋸もしくは他の大きなコンクリート用鋸が使われる。コンクリート用鋸およびその構造、操作の例はいくつかの特許において見つけることができ、「Ｓｅｌｆ−Ｐｒｏｐｅｌｌｅｄ  Ｓａｗ」と題された特許文献１、「Ｍｅｔｈｏｄ  ａｎｄ  Ａｐｐａｒａｔｕｓ  ｆｏｒ  Ｓａｆｅ  Ｏｐｅｒａｔｉｏｎ  ｏｆ  Ｓｅｌｆ−Ｐｒｏｐｅｌｌｅｄ  Ｃｏｎｃｒｅｔｅ  Ｓａｗ」と題された特許文献２、「Ｓｅｌｆ−Ｐｒｏｐｅｌｌｅｄ  Ｓａｗ）と題された特許文献３、「Ｓｌｕｒｒｙ  Ｒｅｃｏｖｅｒｙ  Ｓｙｓｔｅｍ  ｆｏｒ  ａ  Ｗｅｔ  Ｃｕｔｔｉｎｇ  Ｓａｗ」と題された特許文献４、および、「Ｂｌａｄｅ  Ｄｒｉｖｅ  Ｓｈａｆｔ  Ａｓｓｅｍｂｌｙ」と題された特許文献５がその例として挙げられ、これら全ては参照することによりここに組み入れられる。鋸を準備、操作する間、操作者は操作下にある鋸の方向、切断速度、切断の奥行き、およびその他の操作条件を制御するために、鋸の後ろを歩く。鋸はコンクリートに沿って動くことを可能にする１つ以上の車輪と、車輪に支持された枠とを含み、鋸刃を操作するおよびコンクリートの表面に沿って鋸が動くよう車輪を走らせるために、この枠の上にモータもしくはその他の電源が搭載されている。鋸の後ろには１つ以上のハンドルが延在しており、これは操作者の手と同じ高さ（ｌｅｖｅｌ）にあり、これにより操作者は鋸を手動で位置づけすることができる。一般的には、鋸刃は鋸の前にあり、ハンドルは鋸の後ろに延在している。
【０００４】
典型的な直線的な切断では、操作者は、鋸刃としばしば切断ガイドとを、切りたい切断線に合わせる。鋸は、刃および切断ガイドが切断線と一致するまで、その刃がコンクリートの上に持ち上がっている状態で操作される。鋸刃がコンクリートの上に持ち上がっている状態で、鋸全体の方向は後部駆動輪と共通の軸周りに旋回し、それによって対応する分量だけハンドルは低い位置にくる。例えば特許文献４の図１を参照されたい。鋸全体は、最大３０度まで傾き、操作者の近くの後輪上で旋回する場合もある。操作者はハンドル棒を持ち上げる、押すもしくは引くことで鋸の動きを操作する。ハンドルが低い位置にきてしまっていることで、操作者は重い鋸を操作するのと同時に、不安定な姿勢までかがみこむことになることもある。鋸の操作には、ハンドルを下へ押すか引き上げながら鋸をどちらか一方へ回すもしくは動かすことや、鋸刃の位置決めをしやすくすることがしばしば含まれる。結果的に、ハンドルに対し操作者の手の位置が変わることになり、重い刃を動かしながら操作者はかがみこむ姿勢になることがしばしばある。
【０００５】
鋸のハンドルは、ハンドル棒を鋸から外し、操作者の好みにより適した異なる位置に挿入し直すことによって調整することができる。ハンドル棒を外すには、ハンドル棒のロック機能を解除し、再度位置を調整した後に締め付ける。しかし、操作者の好みにより、別のハンドル棒の位が他の操作者には適していないことがある。
【特許文献１】米国特許第５，８０９，９８５号明細書
【特許文献２】米国特許第５，７４３，２４７号明細書
【特許文献３】米国特許第５，６８０，８５４号明細書
【特許文献４】米国特許第５，４７７，８４４号明細書
【特許文献５】米国特許第４，６６４，６４５号明細書
【発明の開示】
【課題を解決するための手段】
【０００６】
（概要）
ここに記述されている装置および方法の１つ以上の側面が、鋸のハンドルの調整を可能にする。鋸のハンドルの長さおよび／または鋸のその他の部分に対する角度を調整することができる。ハンドル棒の高さおよび角度の調整は簡単に素早く行うことが可能で、操作者の好みに応じてハンドルの動きの範囲内で無数のもしくは多くの位置に調整することができる。
【０００７】
ここに記述されている装置および方法に関する例の１つにおいて、１つ以上のハンドルを介して部分的に取り付けられる器具、例えばコンクリート用鋸は、その他の器具から離れさまざまな位置に調整することができる自由端を持つハンドルを含む。例えば、ハンドルの全体の長さを長くするかもしくは短くすることによって調整することが可能であり、それにより、ハンドルの自由端をその他の鋸の部分から遠くもしくは近くに位置させることが可能である。もう１つの例においては、鋸のハンドルは鋸に対してハンドルの角度を調整することが可能である。更なる例においては、鋸のハンドルは、その長さと残りの鋸に対する角度とを長さ別、角度別に、もしくは、長さと角度とを同時に調整することが可能である。
【０００８】
ここに記述されている装置と方法のもう１つの例において、コンクリート用鋸は鋸から間隔があいた部分に自由端があるハンドルを有しており、それにより、あらかじめ決められた間隔での位置付けとは対照的に、鋸に対する自由端の間隔を継続的に調整することができる。例えば、ハンドルの長さは範囲にわたり継続的に変更することが可能であり、鋸に対するハンドルの角度も範囲にわたり継続的に変更することができる。ある配置においては、ハンドルの位置は比較的早く、単一動作の装置により設定できる。
【０００９】
ここに記述されている更なる装置および方法の例においては、コンクリート用鋸には鋸から間隔があいた部分に自由端があり、自由端から間隔の空いた部分に付属部分があり、自由端と付属部分の間に軸となる部分がある。ある配置において、付属部分は、ハンドルが弧を通して軸部分の周りを旋回できるように構成されている。
【００１０】
前記およびここに記述されている装置および方法についてのその他の側面は、図面および以下に続く図面の簡単な説明により詳しく考察される。
【発明を実施するための最良の形態】
【００１１】
（詳細な記述）
図面と共に説明される次の明細は、当業者であれば本発明を実施し、使用することができるような本発明の好ましい実施形態を示している。ここに開示されている発明の実施形態は、商業的な環境において発明を実施するにあたって発明者により熟慮された最良の態様であるが、本発明の範囲内でさまざまな修正が可能であることが理解されるべきである。
【００１２】
手動で動かされるかもしくは１つ以上のハンドルの使用を介して位置調整され得る機器（例えば、コンクリート用鋸）に対する装置および方法が、記述されている。調整可能なハンドルは鋸の位置調整を容易にし、異なる操作者の好みに応じることを可能にする。ハンドルは、角度および長さの方向を含み、好ましくは２次元以上にて調整可能である。
【００１３】
鋸の１つの例においては、コンクリート用鋸２０（図１および２）は、車輪２４および２６により支持された枠２２を含む。車輪２４および２６は、コンクリートの表面２８上での鋸の移動を可能にする（図１）。コンクリート用鋸の構造と形態の詳細については、上記で特定した特許により提供されている。
【００１４】
内部燃焼機関３０は、枠２２に取り付けられ得、鋸刃３２（図で示されている通り）を回転させる力と、電動装置を通じてコンクリート用鋸を推進させるために駆動輪２４を操作する力との両方を提供し得る。エンジン３０は、（示されていないが）クランク型のシャフトを含み、これによりまわりにＶベルトが配置されたプーリーを駆動することができる、もしくは、鋸刃のために他の駆動要素を駆動し一般的には駆動輪２４を駆動するための伝動装置の別のベルトを駆動する。
【００１５】
図１に示されている通り、エンジン３０は一般的には駆動輪２４の前にある枠２２の上に支えられている。刃３２は一般的にはエンジン３０の前にある枠の上に支えられている。刃の直径が長くなること（例えば、２フィートよりも長くなること）がしばしばあるため、鋸刃は、車輪２６をコンクリートの表面に向かい下に押すことによってコンクリートの表面よりも上に持ち上げられ、これにより、枠２２をコンクリートの表面に対して持ち上げる。その結果、鋸は駆動輪２４に対する共通軸（ｃｏｍｍｏｎ  ａｘｉｓ）の周りを旋回し、刃３２が持ち上がるにつれ、ハンドル３および３Ａが下がっていき、コンクリートの表面にだんだん近づいていく。刃がコンクリートを切断し始めると、鋸は希望する深さに入るまでコンクリートの表面へと後ろに旋回（ｐｉｖｏｔ  ｂａｃｋ）する。希望する深さまで入ると、鋸は切断パスに沿ってその動作をさらに進めることができる。
【００１６】
図１および２の例では、ハンドル３と３Ａの二つのハンドルが一般的には鋸の反対側に示されている。通常ハンドルは二つあるが、それを１つ用いて鋸を動かし、位置を調整することができることは理解されるべきである。二つのハンドル３と３Ａは好ましくは実質的に同一であり得、それらは、鋸２０に使用されるように構成されているため、それぞれの鏡像となるように構成され得る。しかし、ハンドル３はより詳細に検討されるが、ハンドル３Ａについてもその構成、使用、および調整機能は同様の内容が適用されることは理解されるべきである。
【００１７】
図１〜３にある鋸の例において、鋸のハンドルは高さ、長さもしくはその両方において調整可能である。１つの構成においては、最低１つ、両方のハンドルにおいて解除可能な高さ保持要素および解除可能な長さ保持要素を含むハンドル調整アセンブリを有することができれば望ましい。保持要素は解除可能で、ハンドルの位置を調整することができる。高さと長さの各保持要素は、調整もしくは保管のために解除されるまで選択された位置にてハンドルを確実に保持するよう構成されるのが望ましい。ハンドル調整アセンブリの詳細については下記にて更に議論される。
【００１８】
ハンドル調整アセンブリ、そして、これにより、ハンドル３は、枠側のプレートによって枠に対して支えられている。ハンドル調整アセンブリを支える枠の一部分は、いくつかの形態をとることがあり、また、いくつかの機能もあるが、ここにさらに十分に記述されているように、ここに記述されている枠側のプレート１がハンドルを支えるにあたって使われる本例の枠の要素になる。枠側のプレートには枢動支持部３４および運動支持部３６がある。本例では、下記に詳細がより十分に記述されているハンドルの一部の弓形の動きを受け入れるため、弓形の動き運動支持部は弓形の開口部もしくは通路を含むような構成となっており、これは弧状支持部３６と呼ぶことにする。しかし、運動支持部は他のいくつかの形態をとることもある。枢動支持部３４は、ハンドルが枢動支持部３４のまわりを旋回できるよう、枢動する点もしくは枢動する部分を支える。弧状支持部３６は、ハンドル３の一部が、弧状支持部３６の形態により決められる弧に沿って動くことを可能にする構造を支持している。弧状支持部３６は比較的一定の屈曲があることを示しているものの、ハンドルの一部が鋸に対して調整できることを可能にしながらも、支持部３６は一定の屈曲以外の形態をとることもある。図１〜３に示された形態においては、弧状支持部３６はハンドルの一部を比較的一定の弧に沿って動くことを可能する。弧状支持部３６は、一般的には３８に指定された面もしくはその他の物を望ましくは含み、ハンドルが枠側のプレート１に対する位置に解除可能な状態で固定されることを可能にする。図３における形態では、表面３８は弓形の開口部１５に隣接する物質の表面であり、ハンドルを弧状開口部１５に沿って希望する位置にて安定した状態で保持する助けとなるように、その表面は形作られ、処理され、さもなければ構成され得る。
【００１９】
ハンドル調整アセンブリ４０（図３）は、枠側のプレート１の枠により支えられており、ハンドル３を支える。これは、ハンドルの位置を枠側のプレート１に対する調整を可能にし、従って残りの鋸に対しても調整が可能になる。ハンドルの調整アセンブリ４０は、ハンドルの調整アセンブリが残りの鋸に対して旋回できるよう、また、ハンドルの高さが枠に対して調整できるよう、枠側のプレート内にて支持されたピン、ピンとスリーブ、回り継ぎ手、枢動円柱もしくは枢動スタッドである可能性がある枢動要素１４を含む。この例において、枢動要素は、枢動ピン１４である。上記枢動ピン１４は、望ましくは枠側の枢動支持部３４を画定する開口部を介して延在し、ナット、締め具、または、その他の固定物１２によって、開口部内に取り込まれる。枢動ピン１４は、枠内のハンドルの調整アセンブリ４０を支持し、枠に対してそれが旋回することを可能にする。図１に示されるように、鋸の側面から見ると、本例の枢動ピンは、枠側のプレートに支えられると、垂直方向および水平方向に固定され、旋回しかしない。ハンドルは、操作者がハンドルを下に押すもしくは上に引っ張る際に、枢動ピン１４の側面への負担が比較的小さくなるよう枠側のプレート１の十分近くまで延びることが望ましい。同様に、ハンドル調整アセンブリの残りへの取り付け位置と締め具１２が付け加えられる場所との間の枢動ピン１４の長さは、枢動ピンの側面の負担を軽減させるために、短くなっている。
【００２０】
図３に示されている例のハンドル調整アセンブリ４０は運動要素も含み、本例ではネジ式ピン１３の形態をとっている。運動要素は弧状支持部３６内を行き来するために、棒、杖、もしくは弧状要素の形をとることもある。ピン１３は、弧状開口部１５により画定された開口部へと広がり、解除可能な状態でハンドル調整アセンブリ４０を枠へと支えるように、そこで捕らえられる。図３に示された形態において、ネジ式ピン１３は、解除可能な保持要素１０により、弓形の開口部１５に保持されている。保持要素は、表面３８に対してネジ式ピンを解除可能なように保持しており、枠に対するハンドルの高さの調整を可能にする。ネジ式ピン１３と枢動ピン１４は、鋸の枠に対する高さの調整を可能にする。これらは、枠側の壁１およびハンドル調整アセンブリ４０を介してハンドルに対して比較的力強い支持を提供する。
【００２１】
本例におけるネジ式ピン１３はハンドル支持部４４（下記に更なる詳細が記述されている）にてハンドル調整アセンブリ４０に接合される。本例におけるネジ式ピン１３は、ハンドル調整アセンブリ（特にハンドル支持部４４）に対して実質的に法線方向または垂直方向に延在し、これにより、ピン１３は、ハンドル支持部４４の中心軸４４Ａに対して実質的に垂直な軸１３Ａを有する（図４）。ピンの軸１３Ａをハンドル支持部の軸４４Ａに交差させるか、ほぼ交差させることで、操作者がハンドルのグリップ９を下に押すもしくは上に持ち上げた際に、ネジ式ピン１３に大きなモーメントもしくは屈曲負荷を起こす傾向が軽減される。
【００２２】
解除可能な保持要素１０は、締め具、固定器具、留め具、もしくは他のメカニズムの形とることができる。ここに記述されている例では、保持要素は締め具１０と称される。締め具１０はＫＩＰＰデザインのモデル番号２８０６１の調整可能なハンドルもしくは別の固定用ハンドル、望ましくは複数の位置調整が可能なハンドルであって、瞬時に調整可能、固定可能、そして解除可能なハンドルであり得る。表面３８に対してネジ式ピンを解除するまで解除可能な状態で保持する手助けをするために、スペーサもしくはウォッシャー１１のような軸受け要素が含まれ得る。
【００２３】
ネジ式ピンを表面３８に対して解除可能な状態で保持するためのメカニズムの構成は、ハンドル、閉め具、もしくは市販で得られるその他の固定メカニズムの形をとることがある。その他の可能なメカニズムには、引き金式歯止め装置、サムノブ、および同様の物が挙げられる。枠に対してネジ式ピンを解除可能なように保持し、そしてこれにより、鋸の残りに対するハンドルの弧や角度の位置を選択するメカニズムは、所定の範囲にわたって動く連続体に沿った実質的に無数の位置にわたり、必要に応じて位置付けされ得る。
【００２４】
ハンドルの角度の位置は別個のもしくはあらかじめ定義された位置に設定される必要はない。図３に示されているようなハンドルもしくは締め具１０の使用によりハンドルの位置の素早い設定が可能になる、この場合は、ハンドルの角度の位置である。また、これにより動く長さに沿ったいくつかの位置における設定が可能になる。
【００２５】
枢動ピン１４およびネジ式ピン１３はできれば互いに対して固定されていることが望ましい。さらに、これらはハンドルの調整アセンブリに操作者が下に押す、上に引っ張る、さもなければハンドルを動かすことによって生み出される負荷をより均等に配分するために互いから十分な間隔をおいて離れている。図１および図３に示されている例では、枢動ピン１４は枠の側壁１の後方付近に位置しており、ネジ式ピン１３は、枠の側壁１の前方付近に位置している。また、図３の例において、ネジ式ピン１３は、ハンドル調整アセンブリの旋回部分とハンドル調整アセンブリの運動部分の間の使用可能な追加スペースを活用するために、ハンドル調整アセンブリの遠端付近に、ハンドルグリップ９から離れて位置している。
【００２６】
図３に示された形態においては、ハンドル調整アセンブリは、支持要素を含んでおり、枢動ピン１４およびネジ式ピン１３は、支持要素４２に取り付けられ、その一部を構成している。代替的に、支持要素４２は、枠に対するハンドルの支持部４４を支える。支持要素４２およびハンドル支持部４４が、互いに対して一体的に構成されるか、互いに対してモノリシックであるように構成され得ること、あるいは、上記支持要素４２およびハンドル支持部４４が、その他のいくつかの形態をとり得ることが、理解され得る。ハンドルの支持部は、枠の壁に対して解除可能な状態で保持されており、ハンドルがハンドル支持部内に保持された場合、ハンドルも壁の枠に対して解除可能な状態で保持される。
【００２７】
ハンドル支持部４４は例えば溶接などの確実な手法にて支持要素４２に固定されていることが望ましい。ハンドル支持部４４は、希望する場合、ハンドル支持部と支持要素４２の間に制振材４５（図４）を含んでもよく、この例においては、振動を吸収するために、クッションもしくはゴム、フォームや同様のものであってよい。図５に示された例では、ハンドル支持部４４は支持要素４２に制振材なしで固定されている。さらに、支持要素４２は、枢動ピン１４の頭が支持要素４２とぴったり重なり、奥まった場所もしくは空洞に枢動ピンの頭がおさまるよう、枢動ピン１４が支持要素の内側表面にて受けられるよう設計されている。プレート要素は、例えば、枠内における、ハンドルの調整可能なアセンブリへの追加的な支持のために、支持要素と枠の側壁１との間に延在し得る。
【００２８】
ハンドル支持部４４はハンドル３を受けるのが望ましく、またハンドル調整アセンブリ４０の他の部分と共に、残りの鋸に対するハンドルの調整を可能にする。ハンドル調整アセンブリ４０により、ハンドルは、鋸に対してハンドルが伸びる位置にてその長さと角度とを調整され得る（図１の矢印４６参照）。ハンドル調整アセンブリ４０は、残りの鋸に対するハンドルの長さおよび／または角度以外の調整を可能にするようにも設計され得る。
【００２９】
図３にて示された形態では、ハンドル支持部４４はハンドル３を受け、支えるためのチューブ、パイプ、もしくはその他の収容器（ｒｅｃｅｐｔａｃｌｅ）である。ハンドル支持部４４は円形チューブであるが、内外ともにこの支持部は異なった形、開口部の形態および表面のいくつかの形態をとることができることが理解されるべきである。図５に示された形態では、ハンドル支持部４４の内側の表面はハンドル３の外部の円形表面的形態を補完するものである。しかし、他の表面の組み合わせも可能である。ハンドル支持部４４の寸法は鋸を上げる、動かす、位置を調整する際にハンドルが使われる場合、それを確実に支えるようなものであることが望ましい。ハンドルの支持部４４は、端の反対側のハンドル３にて閉じられ得る。
【００３０】
ハンドル調整アセンブリ４０は、鋸に対して縦の位置にハンドル３を固定するための解除可能な固定メカニズム４６を含むことがある。ハンドルの縦方向の調整は、できれば、ハンドルの高さの調整とは別に行われることが望ましい。これは図３に示されているような互いより間隔が空いている別の固定メカニズムおよびハンドル調整アセンブリのさまざまな固定部分を用いることにより可能である。図１〜３に示されている例では、固定メカニズム４６は、ハンドル３をハンドル支持部４４に固定する。また、図３に示されている例では、固定メカニズム４６は、位置決めネジもしくはリング５の開口部、および、ハンドル支持部４４における対応する開口部を介して延在させるために、ネジまたはその他の締め具４を受けるための、固定リングもしくは軸受け筒５を含んでいる。締め具４はハンドル３がハンドル支持部４４に対して固定されるよう支え、保持する。締め具４を受けるため、開口部の１つもしくは両方のネジ山をつけることができる。固定メカニズム４６は、ハンドル支持部４４内でもしくは上記ハンドル支持部に４４対してハンドルを比較的簡単に解除し固定することを可能にする。固定メカニズム４６の構成は、ハンドル支持部に対する連続体に対して多くの位置においてハンドルの調整を可能にし、これらの位置はあらかじめ定義されるもしくは不連続である必要がなく、ハンドルの高さの調整から非常に独立して行うことができる。同様に、締め具１０によるハンドルの高さの調整はハンドルの長さの調整から非常に独立して行うことができる。
【００３１】
ハンドルの角度を変えるのにハンドルがハンドル支持部より取り外される必要がないため、調整アセンブリはより密閉した場所にてハンドルの角度をより簡単に調整することを可能にする。近隣に壁、もしくは同様の障壁がないことを条件に、ハンドルの調整は鋸自体の動きもしくは持ち上げられたもしくは下げられた位置とは独立して行うことができる。
【００３２】
ハンドル３は好ましくは従来のハンドル棒であり、ハンドル支持部４４に簡単に適合し、取り外しできるものである。ハンドル３は操作者が確実に希望するように動かし、位置を調整することが可能なように構成され、その寸法が調整される。ハンドル３は、ハンドルの自由端４８にハンドルのグリップ９を含む。ハンドル調整アセンブリ４０は、鋸に対してハンドルの自由端部分を調整することを可能にする。ハンドルをハンドル支持部４４の中および外へスライドさせることにより、ハンドルの自由端部分を鋸へ近づけること、または、遠ざけることができる。ハンドルの自由端は、ハンドル調整アセンブリ４０を枢動点３４に枢動させることにより、残りの鋸に対する角度を調整することができる。ハンドルの自由端４８は固定メカニズム４６および弧状開口部３６のネジ式ピン１３によりその位置を調整することができる。ハンドルを支持する、もしくは位置を解除可能な状態で調整するための他の方法も用いることができる。
【００３３】
ここに記述された本例によりハンドルの位置の調整を簡単に素早く行うことが可能になる。ここに記述された例は、枢動支持部が運動支持部から離れており、また図３に示された例では、枢動支持部は運動支持部よりハンドル調整支持部４０に沿って縦に離れている。さらに、解除可能な保持要素１０および固定メカニズム４６はハンドルの長さ方向に離れている。
【００３４】
本発明に関するいくつかの例示的な実施が記述されたが、ここで議論された発明および概念から逸脱することなしに、さまざまな変更および修正がなされ得ることは明らかである。このような操作および修正は、上記に明確に記述されていないが、本発明の範囲内で意図され、暗示されるものである。従って、前記の記述は一例に過ぎない。
【図面の簡単な説明】
【００３５】
【図１】図１は、手動で位置を調整でき、調整可能なハンドルが付いたコンクリート用鋸の形態の器具の側面図である。
【図２】図２は、図１のコンクリート用鋸の背面図である。
【図３】図３は、図１の鋸に使用するハンドル調整アセンブリの分解図である。
【図４】図４は、制振材を含む図３で示されているハンドル調整アセンブリのもう１つの例の図の断面図である。
【図５】図５は、図３のハンドル調整アセンブリのある部分の鉛直断面図で、ハンドル調整アセンブリの軸となる部分を示しているものである。
【図１】
2008505783.tif 000003
【図２】
2008505783.tif 000004
【図３】
2008505783.tif 000005
【図４】
2008505783.tif 000006
【図５】
2008505783.tif 000007
【国際調査報告】
2008505783.tif 000008